(57)【要約】【課題】本発明は、所定の手順とは異なる手順で解錠されたことを検知して警報を発生させることにより、特殊構造の鍵を使用することなく、ピッキング等の犯罪防止に有効な錠監視装置を提供することを課題とする。【解決手段】本発明による錠監視装置は、秘密的に所定の場所に配置されたボタンを操作することにより解錠動作の起点となる解錠開始信号を発生させ、この解錠開始信号を受信してから一定時間内に解錠信号を受信したときは正常動作と判断し、解錠信号を受信する前に解錠開始信号を受信しなかったときは即時に、および、解錠開始信号を受信してから、正規鍵による鍵開時間として設定された所定時間を経過しても解錠信号を受信できないときは、前記所定時間が経過した時点で警報信号を発生させることを特徴とするものである。【選択図】図３
2007063786.tif 000002
【特許請求の範囲】
【請求項１】
秘密的に所定の場所に配置される解錠開始ボタンと、前記解錠開始ボタンの操作により発生する解錠開始信号に連動して起動するタイマー部と、錠前内の解錠信号接点に接続された解錠信号入出力部と、前記タイマー部から出力されるタイマー信号および前記解錠信号入出力部から出力される解錠信号を受信して正常、異常を判定する異常判定部と、前記異常判定部から異常信号を受信したとき警報信号を出力する警報出力部とを有し、前記解錠開始信号を受信してから一定時間内に前記解錠信号を受信したとき正常動作と判断し、前記解錠開始信号を受け取っていない状態で解錠信号を受信したときは即時に、および、前記解錠開始信号を受信してから、前記タイマー部で設定された所定時間を経過しても前記解錠信号を受信できないときは、前記所定時間が経過した時点で警報信号を発生させることを特徴とする錠監視装置。
【発明の詳細な説明】
【技術分野】
【０００１】
この発明は、既設の錠を改造することなく、ドアの外側から所定の手順と異なる手順で解錠したことを検知して警報を発生し、ピッキング等の犯罪防止に有効な錠監視装置を提供する。
【背景技術】
【０００２】
最近、ドア錠を特殊工具によってこじ開けるピッキング犯や不正な合鍵を使用する空き巣犯が増えている。ピッキング対策としては、例えば、特許文献１や特許文献２に開示されているように、錠自体の内部構造を複雑にしたり、鍵穴を屈曲した構造にして、ピッキングによる不正解錠を防止している。
他方、不正な合鍵使用の防止対策としては、例えば、特許文献３に示すように、極めて複雑な構造を採用し、不正鍵の複製を防止している。
【特許文献１】・・・・特開平０６−３１７０５０号公報
【特許文献２】・・・・特開平０９−１５８５５７号公報
【特許文献３】・・・・特開平２００３−４９５６７号公報
【発明の開示】
【発明が解決しようとする課題】
【０００３】
しかしながら、上記の防犯対策では、錠の構造が複雑で高価となるという問題があった。また、既設のドアの錠について全て構造を変更したものに取り替えるのには多くの費用と時間がかかる。さらに、合鍵の複製が困難だと、鍵の正規所有者を増やしたい場合など使い勝手上不便なことも発生する。
【０００４】
本発明はこのような事情に鑑みてなされたもので、所定の手順とは異なる手順で解錠されたことを検知して警報を発生させることにより、特殊構造の鍵を使用することなく、ピッキング等の犯罪防止に有効な錠監視装置を提供することを課題とする。
【課題を解決するための手段】
【０００５】
本発明による錠監視装置は、秘密的に所定の場所に配置されたボタンを操作することにより解錠動作の起点となる解錠開始信号を発生させ、この解錠開始信号を受信してから一定時間内にドア開信号を受信したとき正常動作と判断し、ドア開信号を受信する前に解錠開始信号を受信しなかったときは即時に、および、解錠開始信号を受信してから、正規鍵による鍵開時間として設定された所定時間を経過してもドア開信号を受信できないときは、前記所定時間が経過した時点で警報信号を発生させることを特徴とするものである。
【発明の効果】
【０００６】
本発明によれば、ピッキング犯のように、解錠前にボタンを操作する手順を知らない人が鍵を開けるときは、ボタン操作無しで直接解錠するため解錠の瞬間に警報がでる。
また、万が一、解錠前のボタン操作の手順を仮にピッキング犯が知っていたとしても、特殊工具を使って鍵をあけるためには、正規の鍵を使って鍵をあける場合に比較して、長い解錠時間を必要とする。
【０００７】
因みに、防犯性能の高い建物部品の開発・普及に関する官民合同会議で合意されている錠、シリンダー及びサムターンの防犯性能試験の規定によれば、特殊技能試験員が５分未満で適当な道具を用いて解錠できないことが合格の要件とされている。
【０００８】
しかして、鍵を開けるのに手間取っていると、正規鍵による鍵開時間を参考にして設定された所定時間（一般には５秒から１０秒）が経過した時点で、警報信号がでるので、鍵開け中のピッキング犯に対し強烈に威嚇することができる。
【発明を実施するための最良の形態】
【０００９】
以下添付図面を参照して本発明の好適な実施例を説明する。
【００１０】
図１は、本発明の１実施例における錠監視装置の取付られる扉部分の正面図であり、扉の適所には、鍵穴１を有する錠前２が取付けられている。錠前２の近傍の壁面には、通話用のスピーカ、マイクおよび呼出ボタン３を有するドアホン４が取付けられ、ドアホン４の側面には、後述する解錠開始信号を送信するための解錠開始ボタン５が設けられている。
【００１１】
解錠開始ボタン５は、必ずしも、ドアホン４に一体に組み込む必要はなく、独立した専用のボタンであっても良いが、錠前用の正規の鍵を有する人以外の人が注目しない場所に設置する必要がある。
【００１２】
図２は、本発明の１実施例における錠監視装置の構成ブロック図を示す。
６は錠監視装置、７は、前述したドアホン４の側面に取付けられた解錠開始ボタン５に電気的に接続される解錠開始信号入力部、８は解錠開始信号入力部７から出力されるタイマースタート信号に連動してタイマー動作を行なうタイマー部であり、その出力側は、異常判定部１１に接続されている。９は、解錠信号入出力部にであり、その入力側は、錠前２に内蔵される解錠信号接点１０に接続され、出力側は異常判定部１１に接続されている。
【００１３】
また、異常判定部１１に接続された警報出力部１２の出力側には、警報スピーカ１３および警報表示灯１４が接続されている。
なお、警報スピーカ１３の代用としてドアホン４のスピーカ１５を使用することも可能である。
【００１４】
次に、図２で本発明の錠監視装置の動作を説明する。
まず、正規の鍵所有者は、解錠開始ボタン５を操作した後、遅滞なく、正規鍵１６を錠前２に挿入して鍵を開ける。
【００１５】
この場合、ます゛、解錠開始ボタン５の操作信号が解錠開始信号入力部７を介してタイマー部８に送られる結果、タイマー部８が起動する。
タイマー部８のタイマー動作に並行して、解錠操作が行なわれる。錠前２が解錠されると、錠前２内において解錠状態が検知され、解錠信号接点１０が開放または閉成されることにより、解錠信号入出力９に対して解錠信号が送られる。
【００１６】
異常判定部１１は、解錠信号入出力部９から出力される解錠信号とタイマー部８から出力される解錠開始信号を受けて、両信号のタイムチャートが正規の解錠手順に従っているかどうかを判定する。異常と判定されると、異常信号を警報出力部１２へ送出する。
【００１７】
図３は、本発明の１実施例における錠監視装置の警報動作のタイムチャートを示したもので、３種類のタイムチャートが示されている。
【００１８】
図３（ａ）は、正規の鍵使用者が鍵を開けた場合のタイムチャートである。
まず、正規の鍵使用者が解錠開始ボタン５を押すと、解錠開始信号が出力され、これに連動してタイマー部８からタイマー信号が出力される。
このタイマー信号出力中に錠前２が開錠され解錠信号が出力されると、タイマー信号はリセットされ正常に解錠操作が終了する。警報信号は発生しない。
【００１９】
図３（ｂ）は、ピッキング犯などが、解錠操作の前に解錠開始ボタン５を操作する手順を何らかの手段で知っている場合のタイムチャートである。
【００２０】
まず、解錠開始ボタン５を押すと、前記と同様、タイマー信号が発生する。このタイマー信号のタイマー時間は、正規鍵を使った正常操作時の解錠時間を基準として設定され、通常は５秒から１０秒に設定する。ピッキング犯などが特殊工具を使って開錠する場合にはこのように短く設定されたタイマー時間内に解錠することは困難である。
その結果、図に示されているように、タイマー時間内では解錠できず、タイマー時間の終了に伴い警報信号が出力される。
【００２１】
図３（ｃ）は、ピッハング犯などが解錠操作の前に解錠開始ボタン５を操作する手順を知らない場合のタイムチャートである。
この場合には、解錠開始ボタン５が押されないため、解錠開始信号は発生せず、そのため、タイマー部８も起動しない。タイマー信号が発生していない状態で、ピッキング犯が解錠に成功し、解錠信号が異常判定部に送られると、異常判定部は、この状態を異常として判定する。このようにして、解錠信号を受け取った時点で警報出力が発生する。
【図面の簡単な説明】
【００２２】
【図１】本発明の１実施例における錠監視装置の取付られる扉部分の正面図。
【図２】本発明の１実施例における錠監視装置の構成ブロック図。
【図３】本発明の１実施例における錠監視装置の警報動作のタイムチャート。
【符号の説明】
【００２３】
１    鍵穴
２    錠前
３    呼出ボタン
４    ドアホン
５    解錠開始ボタン
６    錠監視装置
７    解錠開始信号入力部
８    タイマー部
９    解錠信号入出力部
１０    解錠信号接点
１１    異常判定部
１２    警報出力部
１３    警報スピーカ
１４    警報表示灯
１５    スピーカ
１６    正規鍵
【図１】
2007063786.tif 000003
【図２】
2007063786.tif 000004
【図３】
2007063786.tif 000005